(57)【特許請求の範囲】
【請求項１】
液槽内の液体に対し、動力噴霧機の吸水口及び余水口より各々吸水管と余水管とを延設し、動力噴霧機の噴霧口よりホース巻取機に噴霧用連絡管を連結し、該ホース巻取機にて噴霧用ホースを繰出し巻取り可能とする噴霧装置において、該動力噴霧機にて、該噴霧用連絡管及び噴霧用ホース内の残液を該吸水口に戻すための配管を施すことを特徴とする噴霧装置の残液処理機構。
【請求項２】
液槽内の液体に対し、動力噴霧機の吸水口及び余水口より各々吸水管と余水管とを延設し、動力噴霧機の噴霧口よりホース巻取機に噴霧用連絡管を連結し、該ホース巻取機にて噴霧用ホースを繰出し巻取り可能とする噴霧装置において、動力噴霧機の吸水口に吸水側分岐管を、噴霧口に噴霧側分岐管を連接し、該吸水側分岐管に該吸水管と残液戻し用管の一端を、該噴霧側分岐管に該噴霧用連絡管と該残液戻し用管の他端を連結することを特徴とする噴霧装置の残液処理機構。
【請求項３】
請求項２記載の噴霧装置の残液処理機構において、噴霧時には、吸水口・吸水管間と噴霧口・噴霧用連絡管間とが連通して、残液戻し用管を遮断し、残液処理時には、残液戻し用管を連通し、吸水管・吸水側分岐管間及び噴霧口・噴霧側分岐管間が遮断されるよう、開閉制御機構を設けることを特徴とする噴霧装置の残液処理機構。
【発明の詳細な説明】
【０００１】
【発明の属する技術分野】
本発明は、液槽内の液体を動力噴霧機にて吸い上げ、ホース巻取機を介して噴霧用ホースを繰出し巻取り可能とする噴霧装置における残液処理機構に関する。
【０００２】
【従来の技術】
従来、液槽内の液体に対し、動力噴霧機の吸水口及び余水口より各々吸水管と余水管とを延設し、動力噴霧機の噴霧口よりホース巻取機に噴霧用連絡管を連結し、該ホース巻取機にて噴霧用ホースを繰出し巻取り可能とする噴霧装置において、噴霧作業は、まず、ホース巻取機より噴霧作業域で一番離れた位置まで噴霧用ホースを繰り出しておき、噴霧用ホースの噴口より噴霧をしつつ、ホース巻取機にて噴霧用ホースを巻き取っていくという行程となっている。
【０００３】
【発明が解決しようとする課題】
このような行程で噴霧作業を行う前記構成の噴霧装置においては、噴霧終了時において、噴霧用ホース内にはかなりの残液があり、これを液槽に戻す処理をしなければ、この状態の噴霧用ホースを持ち歩いたり、ホース巻取機を運んだりするのは重くて重労働であり、また、残液処理金具等を装着して残液処理をすることもできるが、手間がかかり作業も煩雑であった。そこで、本発明は噴霧用ホース内の残液を処理する機能を噴霧装置に一体的に設けたものである。
【０００４】
【課題を解決するための手段】
本発明は、液槽内の液体に対し、動力噴霧機の吸水口及び余水口より各々吸水管と余水管とを延設し、動力噴霧機の噴霧口よりホース巻取機に噴霧用連絡管を連結し、該ホース巻取機にて噴霧用ホースを繰出し巻取り可能とする噴霧装置において、以上のような課題を解決すべく、次のような手段を用いるものである。即ち、該噴霧用連絡管及び噴霧用ホース内の残液を該吸水口に戻すための配管を施す。
【０００５】
また、具体的構成として、動力噴霧機の吸水口に吸水側分岐管を、噴霧口に噴霧側分岐管を連接し、該吸水側分岐管に該吸水管と残液戻し用管の一端を、該噴霧側分岐管に該噴霧用連絡管と該残液戻し用管の他端を連結する。
【０００６】
更に、前記構成の噴霧装置の残液処理機構において、噴霧時には、吸水口・吸水管間と噴霧口・噴霧用連絡管間とが連通して、残液戻し用管を遮断し、残液処理時には、残液戻し用管を連通し、吸水管・吸水側分岐管間及び噴霧口・噴霧側分岐管間が遮断されるよう、開閉制御機構を設ける。
【０００７】
【発明の実施の形態】
本発明の実施の形態を添付の図面をもとに説明する。図１は噴霧装置の全体構成を示す図、図２は噴霧装置の残液処理機構を示す図である。
【０００８】
噴霧装置の全体の概略構成を図１より説明する。液槽１と動力噴霧機２とホース巻取機３とがあり、動力噴霧機２には、吸水口２ａ、余水口２ｂ、噴霧口２ｃが設けられていて、吸水口２ａ及び余水口２ｂより液槽１内の液体（薬液或いは水）内に対し、それぞれ吸水管４及び余水管５を延設しており、噴霧口２ｃよりホース巻取機３に対して噴霧用連絡管６を連結し、該ホース巻取機３より噴霧用ホース７を巻取り繰出し可能としている。
【０００９】
噴霧作業は、ホース巻取機３より噴霧範囲の最も遠い箇所まで噴霧用ホース７を予め繰り出しておき、動力噴霧機２を駆動して、液槽１内の液体を、吸水管４を介して吸水口２ａより吸水し、噴霧口２ｃより噴霧用連絡管６、ホース巻取機３、及び噴霧用ホース７を介して、噴霧用ホース７先端の噴口７ａより噴霧するものである。作業者Ｐは、噴霧用ホース７を持ちつつ噴霧を行い、ホース巻取機３にて噴霧用ホース７を巻き取らせながら移動する。なお、余水口２ｂより余水管５を介して液槽１内に余水が戻される。
【００１０】
本発明は、噴霧終了時にホース巻取機３にて巻き取った噴霧用ホース７内の残液を液槽１内に戻すための処理機構であって、これを図２より説明する。まず、主管部８ａより枝管部８ｂを分岐させてなる吸水側分岐管８と、主管部９ａより枝管部９ｂを分岐させてなる噴霧側分岐管９とを用いて、吸水側分岐管８の主管部８ａの各端に、吸水管４の端部と吸水口２ａとを各々連結し、噴霧側分岐管９の主管部９ａの各端に、噴霧口２ｃと噴霧用連絡管６の端部とを各々連結する。そして、吸水側分岐管８の枝管部８ｂと、噴霧側分岐管９の枝管部９ｂとに、残液戻し用管１０の各端を連結する。
【００１１】
また、吸水側分岐管８においては、主管部８ａの吸水管４への連結端と、主管部８ａ・枝管部８ｂ合流部との間に、吸水側開閉弁Ｖ１を設け、枝管部８ｂの途中部には残液戻し用開閉弁Ｖ２を設けている。そして、噴霧側分岐管９においては、主管部９ａの噴霧口２ｃへの連結端と、主管部９ａ・枝管部９ｂ合流部との間に、噴霧側開閉弁Ｖ３を設けている。また、動力噴霧機２において、噴霧口２ｃには噴霧用開閉弁Ｖ４が設けられている。
【００１２】
以上のような弁構成において、噴霧時と残液処理時における各弁の開閉制御について説明する。まず、噴霧時及び残液処理時のいずれにおいても、動力噴霧機２は駆動状態としておき、また、噴霧口２ｃに設けた噴霧用開閉弁Ｖ４は開弁した状態で保持されており、噴霧口２ｃより液体を吐出可能な状態となっている。
【００１３】
噴霧時には、吸水側開閉弁Ｖ１及び噴霧側開閉弁Ｖ３が開弁されて、残液戻し用開閉弁Ｖ２は閉弁される。従って、吸水管４より吸水側分岐管８の主管部８ａを介して、動力噴霧機２の吸水口２ａに液槽１からの液体が吸水され、噴霧口２ｃより噴霧側分岐管９の主管部９ａを介して、噴霧用連絡管６に液体が吐出される。残液戻し用管１０については、残液戻し用開閉弁Ｖ２の閉弁のため、両分岐管８・９における枝管部８ｂ・９ｂ間の液体の連通は遮断されている。
【００１４】
そして、残液処理時には、吸水側開閉弁Ｖ１及び噴霧側開閉弁Ｖ３は閉弁され残液戻し用開閉弁Ｖ２は開弁される。この状態において、動力噴霧機２は駆動しているので、吸水口２ａより吸水可能な状態となっているが、吸水口２ａと吸水管４との連絡は遮断されている一方で、残液戻し用管１０は吸水口２ａと連通状態となり、また、残液戻し用管１０と噴霧口２ｂとの間は遮断される一方で、残液戻し用管１０と噴霧用連絡管６とが連通状態となるので、噴霧用連絡管６内の残液は、残液戻し用管１０を介して、吸水口２ａより動力噴霧機２内に吸水される。従って、ホース巻取機３を介して噴霧用連絡管６に連結されている噴霧用ホース７内の残液も、こうして、動力噴霧機２の吸水口２ａに吸水される。動力噴霧機２内に吸水された残液は、余水口２ｂより余水管５を介して、液槽１内に戻されるのである。なお、図２中の矢印Ｗは、残液処理時の残液の流れを示す。
【００１５】
以上の残液処理機構における開閉弁Ｖ１・Ｖ２・Ｖ３は、モーターバルブとする等して、遠隔操作可能としてもよい。
【００１６】
そして、吸水側分岐管８、噴霧側分岐管９、及び残液戻し管１０の三部品を組み合わせておいて、一体のアタッチメントとしておくことが可能であり、吸水口２ａと吸水管４との間に吸水側分岐管８を介装し、噴霧口２ｃと噴霧用連絡管６との間に噴霧側分岐管９を介装することで、従前の動力噴霧機２に対して容易に残液処理機構を取り付けることができるのである。
【００１７】
なお、以上のような残液処理機構の構造を、動力噴霧機２内に内装化することも可能である。
【００１８】
【発明の効果】
本発明は、液槽内の液体に対し、動力噴霧機の吸水口及び余水口より各々吸水管と余水管とを延設し、動力噴霧機の噴霧口よりホース巻取機に噴霧用連絡管を連結し、該ホース巻取機にて噴霧用ホースを繰出し巻取り可能とする噴霧装置において、以上のように構成したので、次のような効果を奏する。まず、請求項１記載の如く構成することにより、噴霧用ホース及び噴霧用連絡管内における残液は、吸水口への残液戻し用の配管により、動力噴霧機の吸水口より吸水されるので、動力噴霧機の余水口より余水管を介して液槽内に戻すことができ、噴霧用ホースを液槽内に引き入れるような操作をしなくてよい。
【００１９】
また、請求項２の如く構成することにより、動力噴霧機の吸水口と噴霧口との間に、吸水側分岐管、噴霧側分岐管、及び残液戻し用管よりなる残液戻し用の配管ができ、噴霧口に連通する噴霧用連絡管、更に噴霧用ホース内の残液を、この配管を介して、吸水口に導くことが可能となる。また、吸水側分岐管、噴霧側分岐管、及び残液戻し用管は一体としてアタッチメント化し、吸水口と噴霧口とに各分岐管を連接することにより、容易に残液処理機構を動力噴霧機に装着できるものである。
【００２０】
そして、請求項２記載の構成を用いて、請求項３記載の如く、開閉制御により噴霧時と残液処理時との水路の切換が行われ、残液を噴霧用ホース、噴霧用連絡管、残液戻し用管を介して吸水口に吸水させ、余水管にて液槽に戻すことができるものであり、噴霧用ホースを移動させたりする作業は不要で、残液処理作業を容易化する。
【図面の簡単な説明】
【図１】噴霧装置の全体構成を示す図である。
【図２】噴霧装置の残液処理機構を示す図である。
【符号の説明】
１      液槽
２      動力噴霧機
２ａ    吸水口
２ｂ    余水口
２ｃ    噴霧口
３      ホース巻取機
４      吸水管
５      余水管
６      噴霧用連絡管
７      噴霧用ホース
８      吸水側分岐管
８ａ    主管部
８ｂ    枝管部
９      噴霧側分岐管
９ａ    主管部
９ｂ    枝管部
１０    残液戻し用管
Ｖ１    吸水側開閉弁
Ｖ２    残液戻し用開閉弁
Ｖ３    噴霧側開閉弁
Ｖ４    噴霧用開閉弁
【図１】
0003696701.tif 000002
【図２】
0003696701.tif 000003